(57)【要約】【課題】バックライトランプの破損を防止する。【解決手段】スイッチングトランジスタＱ１及びインバータ１２０は、外部から提供される電源電圧を変換してランプアセンブリ１１０に提供する。温度感知素子１３２，１３４はランプの温度を感知して温度信号を出力し、オン／オフコントローラ１６０は、トランジスタＱ１を制御して、温度が所定の臨界温度範囲である場合にランプへの供給電圧を低下させ、該範囲を超えた場合にランプへの供給電圧を遮断する。これによって、ピンホールの発生を防止してランプの破損を防止することができる。【選択図】図３
2005063970.tif 000002
【特許請求の範囲】
【請求項１】
複数のランプを駆動するランプ駆動方法において、
（ａ）外部から提供されるディミング（ｄｉｍｍｉｎｇ）信号に基づいて、スイッチング信号を生成するステップと、
（ｂ）前記スイッチング信号に基づいて、外部から提供される電源電圧の出力をオン/オフ制御するステップと、
（ｃ）前記オン/オフ制御された電源電圧を交流電源電圧に変換するステップと、
（ｄ）前記交流電源電圧を昇圧して前記ランプに供給するステップと、
（ｅ）前記ランプの温度を感知して温度信号を出力するステップと、
（ｆ）前記温度信号と前記ディミング信号に基づいて、前記スイッチング信号を調整して前記ステップ（ｂ）にフィードバッグするステップと、
を含むことを特徴とするランプ駆動方法。
【請求項２】
前記ランプに印加される電流を感知して電流感知信号を出力するステップを更に含み、
前記ステップ（ｆ）は、前記温度信号と電流感知信号とディミング信号に基づいて、前記スイッチング信号を調整して前記ステップ（ｂ）にフィードバッグするステップである
ことを特徴とする請求項１記載のランプ駆動方法。
【請求項３】
前記ステップ（ｆ）は、一定範囲を有する臨界温度と前記温度信号を比較して、前記温度信号が前記臨界温度の範囲内に存在する場合には、前記ランプの管電圧や管電流を低下させるように、前記スイッチング信号を調整して前記ステップ（ｂ）にフィードバッグするステップであることを特徴とする請求項１記載のランプ駆動方法。
【請求項４】
前記ステップ（ｆ）は、一定範囲を有する臨界温度と前記温度信号を比較して、前記温度信号が前記臨界温度の範囲を超過する場合には前記ランプに供給される電源電圧の出力を遮断させるように、スイッチング信号を調整して前記ステップ（ｂ）にフィードバッグするステップであることを特徴とする請求項１記載のランプ駆動方法。
【請求項５】
前記臨界温度の範囲は、前記ランプにピンホールが発生される温度を含むことを特徴とする請求項３又は請求項４記載のランプ駆動方法。
【請求項６】
複数のランプを駆動するランプ駆動装置において、
外部から提供される電源電圧を変換して前記ランプに提供する電源出力部と、
前記ランプの温度を感知して温度信号を出力する温度感知部と、
前記温度信号に基づいて前記電源出力部から出力される電源電圧のレベルを制御する第１スイッチング信号を出力する制御部と、
を含むことを特徴とするランプ駆動装置。
【請求項７】
前記第１スイッチング信号に基づいて、前記電源出力部に供給される電源電圧の出力をオン/オフ制御するスイッチング部を更に含むことを特徴とする請求項６記載のランプ駆動装置。
【請求項８】
前記ランプは一側が管外電極を有し、他側が管内電極を有する管内外電極蛍光ランプ（ＥＩＦＬ）と、両側が管外電極を有する管内電極蛍光ランプ（ＥＥＦＬ）のうち、いずれか一つであることを特徴とする請求項６記載のランプ駆動装置。
【請求項９】
前記ランプは、冷陰極蛍光ランプであることを特徴とする請求項６記載のランプ駆動装置。
【請求項１０】
前記電源出力部は、前記変換された電源電圧を前記ランプの両端に印加することを特徴とする請求項６記載のランプ駆動装置。
【請求項１１】
前記電源出力部は、前記変換された電源電圧を前記ランプの一端に印加することを特徴とする請求項６記載のランプ駆動装置。
【請求項１２】
前記制御部は、前記温度信号が一定範囲を有する臨界温度の範囲を超過する場合に、前記電源電圧の出力を遮断するように制御する第１スイッチング信号を出力することを特徴とする請求項６記載のランプ駆動装置。
【請求項１３】
前記制御部は、前記温度信号が一定範囲を有する臨界温度の範囲内に存在する場合に、前記電源電圧の出力を低下させるように制御する第１スイッチング信号を出力することを特徴とする請求項６記載のランプ駆動装置。
【請求項１４】
前記温度感知部は、一つ以上の温度感知素子で構成され、前記温度感知素子は前記ランプに直接付着されることを特徴とする請求項６記載のランプ駆動装置。
【請求項１５】
前記温度感知素子は、前記ランプの一端又は両端に直接付着されることを特徴とする請求項１４記載のランプ駆動装置。
【請求項１６】
前記温度感知部は、一つ以上の温度感知素子で構成され、前記温度感知素子は前記ランプに近接配置されることを特徴とする請求項６記載のランプ駆動装置。
【請求項１７】
前記温度感知素子は、前記ランプの一端又は両端に近接配置されることを特徴とする請求項１６記載のランプ駆動装置。
【請求項１８】
前記温度感知素子は、サーミスタであることを特徴とする請求項１４又は請求項１６記載のランプ駆動装置。
【請求項１９】
前記制御部は、外部から提供されるディミング信号に基づいて前記ランプに定電圧の出力を制御する第２スイッチング信号を更に出力することを特徴とする請求項６記載のランプ駆動装置。
【請求項２０】
外部から入力される電源電圧を変換して出力するランプ駆動部と、
複数のランプが並列接続されたランプユニットで構成され、前記変換された電源電圧が印加されて光を発生する発光部と、
を含み、
前記ランプ駆動部は、
外部から提供される電源電圧を変換して前記ランプに提供する電源出力部と、
前記ランプの温度を感知して温度信号を出力する温度感知部と、
前記温度信号に基づいて前記電源出力部から出力される電源電圧のレベルを制御する第１スイッチング信号を出力する制御部と、
を含むことを特徴とするバックライトアセンブリ。
【請求項２１】
前記発光部から提供される光の輝度を向上させるための光調節部を更に含むことを特徴とする請求項２０記載のバックライトアセンブリ。
【請求項２２】
前記第１スイッチング信号に基づいて、前記電源出力部に供給される電源電圧の出力をオン/オフ制御するスイッチング部を更に含み、
前記制御部は、
前記温度信号が臨界温度の範囲に存在するとき、管電圧や管電流を低下させるように前記第１スイッチング信号を提供し、
前記温度信号が臨界温度の範囲を超過すると、前記ランプへの電圧出力を遮断する第２スイッチング信号を提供する
ことを特徴とする請求項２０記載のバックライトアセンブリ。
【請求項２３】
前記第１スイッチング信号に基づいて、前記電源出力部に供給される電源電圧の出力をオン/オフ制御するスイッチング部を更に含み、
前記電源出力部は、前記スイッチング部を介して印加される電源電圧を交流電源電圧に変換し、前記変換された交流電源電圧を昇圧し、前記昇圧された交流電源電圧を前記ランプの両端に印加する
ことを特徴とする請求項２０記載のバックライトアセンブリ。
【請求項２４】
前記第１スイッチング信号に基づいて、前記電源出力部に供給される電源電圧の出力をオン/オフ制御するスイッチング部と、前記ランプに供給される電流レベルを検出するランプ電流検出部と、を更に含み、
前記制御部は、前記検出された電流レベルに応答して、前記第１スイッチング信号を前記スイッチング部に提供する
ことを特徴とする請求項２０記載のバックライトアセンブリ。
【請求項２５】
外部から入力される電源電圧を交流電源電圧に変換して出力するランプ駆動部と、前記交流電源電圧に基づいて光を発生する発光部と、前記発光部から提供される光の輝度を向上させるための光調節部とを有するバックライトアセンブリと、
前記光調節部の上面に位置し、前記光調節部を通じて前記発光部から提供される光に基づいて液晶を利用して映像を表示するディスプレイアセンブリと、
を含み、
前記ランプ駆動部は、
外部から提供される電源電圧を変換して前記ランプに提供する電源出力部と、
前記ランプの温度を感知して温度信号を出力する温度感知部と、
前記温度信号に基づいて前記電源出力部から出力される電源電圧のレベルを制御するスイッチング信号を出力する制御部と、
を含むことを特徴とする液晶表示装置。
【請求項２６】
前記発光部は、少なくとも一端に高電圧の交流電源電圧の印加が要求される管外電極を有するランプであることを特徴とする請求項２５記載の液晶表示装置。
【請求項２７】
前記発光部は、複数のランプで構成され、前記ランプのそれぞれは並列接続されたことを特徴とする請求項２５記載の液晶表示装置。
【発明の詳細な説明】
【技術分野】
【０００１】
本発明は、ランプ駆動方法及び装置と、該装置を備えたバックライトアセンブリ及び液晶表示装置とに関し、より詳細には、ランプの温度を感知してランプの破損を防止するためのランプ駆動方法及び装置と、該装置を有するバックライトアセンブリ及び液晶表示装置に関するものである。
【背景技術】
【０００２】
一般的に、液晶表示装置は、自体的に発光することができない受光素子である液晶を利用して映像を表示するので、光を必要とする。従って、液晶表示装置は、液晶パネルの後面に付着されたバックライトアセンブリから光の供給を受けて画像を表示する。
【０００３】
前記バックライトアセンブリは、光源の位置によってエッジ型と直下型に区分される。前記エッジ型バックライトアセンブリは、導光板の側面にランプユニットが設置される構造であって、主にラップトップ型コンピュータやデスクトップ型コンピュータのように比較的表示領域の大きさが小さい液晶表示装置に適用される。このようなエッジ型バックライトアセンブリは、光の均一性がよく、耐久寿命が長く、液晶表示装置の薄型化に有利である長所がある。
【０００４】
前記直下型バックライトアセンブリは、液晶表示装置の大きさが大型化されつつある状況下において重点的に開発された構造であって、光を拡散させる拡散板の下部に一つ以上のランプを一列に配列させて液晶パネルに全面的に光を照射する。このような直下型バックライトアセンブリは、前記エッジ型バックライトアセンブリに比べて複数の光源を利用することができるので、高い輝度を確保することができる長所がある。
【０００５】
特に、前記直下型バックライトアセンブリには、冷陰極性蛍光ランプ（ＣＣＦＬ）より光効率が高く、低原価を達成するために並列駆動が可能な外部電極蛍光ランプが開発されている。
【０００６】
一方、一般的に、ランプ駆動時に採用されるシャットダウン方式は、図１に図示したように、漏洩センサ１０がランプ１２から漏洩する電流量を検出し、検出された電流量に基づいて、センサ回路（感知部）１４によってランプ１２が消灯時と点灯時との漏洩レベルの間の差を利用する。即ち、ランプが消えたと判断される場合、インバータ１６にシャットダウン信号を提供して、ランプに供給される電源電圧を強制的にシャットダウンさせる。
【発明の開示】
【発明が解決しようとする課題】
【０００７】
しかし、上記したような方式は、ピンホールなどの問題によってランプが既に消えた後にバックライトへの電源電圧をシャットダウンするという問題点がある。
また、ランプの間の距離が近くなるか漏洩センサとランプとの距離が遠くなると、ランプの間の漏洩干渉によって個別感知が難しい。
【０００８】
一方、各ランプの状態による漏洩レベルの間の偏差が大きく、また、ランプと漏洩センサとの距離、金属器具物構造など、漏洩レベルに影響を与える他の要因が多い。このような要因があることから、ランプから漏洩する電流量のみに基づいて、バックライトをシャットダウンさせることには限界がある。
【０００９】
また、ランプの不完全駆動時に臨界漏洩電流の中間レベルでの判定が難しい。
このように、直下型バックライトに採用される管外電極蛍光ランプ（ＥＥＦＬ）は、前記ＣＣＦＬより光効率が高く、原価が安いだけでなく、並列駆動が可能な長所がある。しかし、前記ＥＥＦＬの外部電極部から発生されるピンホールによってランプが既にオフされた後にバックライトへの供給電圧をシャットダウンさせるという問題点がある。
【００１０】
本発明の技術的な課題は、このような従来の問題点を解決するためのものであって、本発明の目的は、蛍光ランプの外部電極部からピンホールが発生することをなくすためのランプ駆動方法を提供することにある。
【００１１】
また、本発明の他の目的は、前記ランプ駆動方法を遂行するためのランプ駆動装置を提供することにある。
また、本発明の他の目的は、前記ランプ駆動装置を有するバックライトアセンブリを提供することにある。
また、本発明の他の目的は前記ランプ駆動装置を有する液晶表示装置を提供することにある。
【課題を解決するための手段】
【００１２】
前記本発明の目的を実現するためのランプ駆動方法は、複数のランプを駆動する方法において、（ａ）外部から提供されるディミング信号に基づいて、スイッチング信号を生成するステップと、（ｂ）前記スイッチング信号に基づいて、外部から提供される電源電圧の出力をオン/オフ制御するステップと、（ｃ）前記オン/オフ制御された電源電圧を交流電源電圧に変換するステップと、（ｄ）前記交流電源電圧を昇圧して前記ランプに供給するステップと、（ｅ）前記ランプの温度を感知して温度信号を出力するステップと、（ｆ）前記温度信号と前記ディミング信号に基づいて、前記スイッチング信号を調整して前記ステップ（ｂ）にフィードバッグするステップと、を含む。
【００１３】
また、前記本発明の他の目的を実現するためのランプ駆動装置は、複数のランプを駆動するランプ駆動装置において、外部から提供される電源電圧を変換して前記ランプに提供する電源出力部と、前記ランプの温度を感知して温度信号を出力する温度感知部と、前記温度信号に基づいて前記電源出力部から出力される電源電圧のレベルを制御する第１スイッチング信号を出力する制御部と、を含む。
【００１４】
また、前記本発明の他の目的を実現するためのバックライトアセンブリは、外部から入力される電源電圧を変換して出力するランプ駆動部と、複数のランプが並列接続されたランプユニットで構成され、前記変換された電源電圧が印加されて光を発生する発光部とを含み、前記ランプ駆動部は、外部から提供される電源電圧を変換して前記ランプに提供する電源出力部と、前記ランプの温度を感知して温度信号を出力する温度感知部と、前記温度信号に基づいて前記電源出力部から出力される電源電圧のレベルを制御する第１スイッチング信号を出力する制御部と、を含む。
【００１５】
また、前記本発明の他の目的を実現するための液晶表示装置は、外部から入力される電源電圧を交流電源電圧に変換して出力するランプ駆動部と、前記交流電源電圧に基づいて光を発生する発光部と、前記発光部から提供される光の輝度を向上させるための光調節部を有するバックライトアセンブリと、前記光調節部の上面に位置し、前記光調節部を通じて前記発光部から提供される光に基づいて液晶を利用して映像を表示するディスプレイアセンブリとを含み、前記ランプ駆動部は、外部から提供される電源電圧を変換して前記ランプに提供する電源出力部と、前記ランプの温度を感知して温度信号を出力する温度感知部と、前記温度信号に基づいて前記電源出力部から出力される電源電圧のレベルを制御するスイッチング信号を出力する制御部と、を含む。
【発明の効果】
【００１６】
このようなランプ駆動方法及びその装置と、これを有するバックライトアセンブリ及び液晶表示装置によると、外部電極部の近傍に温度センサを付着して並列駆動時にランプの状態を監視することで、温度が臨界温度範囲内になると、管電圧や管電流を低下させ、また、臨界温度範囲を超過した時に、自動的にバックライトへの電源供給をシャットダウンすることで、ピンホール発生を防止することができる。
【発明を実施するための最良の形態】
【００１７】
以下、添付した図面を参照して本発明をより詳細に説明する。
まず、本発明の説明の前に、外部電極蛍光ランプ（ＥＥＦＬ）からピンホールが発生されるメカニズムについて簡略に説明する。
【００１８】
今まで知られた外部電極蛍光ランプ（ＥＥＦＬ）のピンホール発生メカニズムは、次のようである。即ち、外部電極にキャパシタの臨界電圧以上の電圧がかかると、プラズマシース（Ｐｌａｓｍａ  Ｓｈｅａｔｈ）の分布によって狭いシース区間に電界が集中する。この部分で局部的に温度が急激に上昇し、上昇された温度がガラスの臨界温度（Ｔｇ）、例えば、５００℃程度になると、ランプの内と外との圧力差によってピンホールが発生する。
【００１９】
また、ガラスの場合、温度が上昇するほど抵抗が低くなり、電荷が抵抗が低い位置に集中されてピンホールを加速化するので、絶縁破壊現象が発生する。
【００２０】
図２は、外部電極蛍光ランプの外部電極内から発生されるプラズマの分布を示した図面であって、第１電界ラインＥＦＬ１の区間が狭いシース（Ｓｈｅａｔｈ）区間を有してピンホールが高頻度で発生し、現在発生されるピンホールの８０％以上が、この狭いシース区間から発生する。
【００２１】
従って、前記ピンホールは、ガラス１２ａの絶縁破壊現象として説明されることができる。常温での実験結果、ガラス１２ａの絶縁破壊電圧（７ｋＶ/ｍｍ）以下で駆動すると、ピンホール発生を防止することを確認することができる。管電圧は、ガラスの厚さが０．３ｍｍである場合、２４００Ｗであり、ガラスの厚さが０．５ｍｍである場合、３５００Ｖ以下である。
【００２２】
また、前記絶縁破壊電圧は、温度が上昇するほど低くなるので、外部電極部１２ｂの温度を最大限低下させるか、臨界温度以下で作動するように設計すると、ピンホール発生を防止することができる。
このように、ピンホール発生温度は、ガラス１２ａの厚さと外部電極１２ｂの長さ（すなわちキャパシタンス）によって変化する。
【００２３】
下記の表１は、ピンホール発生と、温度、電圧及びキャパシタンスとの関係を検証した結果の、ピンホール発生時のランプタイプに依存する臨界電圧及び臨界温度を示す。
【表１】
2005063970.tif 000003
【００２４】
前記表１に示したように、外部電極蛍光ランプ１２の内径が２．６ｍｍであり、外部電極部１２ｂの長さが１５ｍｍであり、ガラス１２ａの厚さが０．３ｔ（ｍｍ）である場合、外部電極キャパシタンスは１７ｐＦであり、臨界電圧は２、５１６Ｖであり、２１０℃でピンホールが発生する。
【００２５】
また、外部電極蛍光ランプ１２の内径が３．０ｍｍであり、外部電極部１２ｂの長さが１５ｍｍであり、ガラス１２ａの厚さが０．３ｔ（ｍｍ）である場合、外部電極キャパシタンスは２０ｐＦであり、臨界電圧は２、４８０Ｖであり、２４０℃でピンホールが発生する。
【００２６】
また、外部電極蛍光ランプ１２の内径が３．０ｍｍであり、外部電極部１２ｂの長さが１５ｍｍであり、ガラス１２ａの厚さが０．５ｔ（ｍｍ）である場合、外部電極キャパシタンスは１１ｐＦであり、臨界電圧は３，５２０Ｖであり、１３０℃でピンホールが発生する。
【００２７】
従って、ピンホールの発生を誘発する要因は、管電圧、管電流など様々にあるが、このような色々な要因は、結果的に電極部温度上昇という現象を誘発してピンホールを発生するということができる。従って、電極部温度がピンホールの進行と発生の最終的な尺度である、という相関関係を得ることができる。
【００２８】
このような点を勘案して、本発明では、複数のランプを並列駆動する時、ランプ状態を感知してピンホール発生を予め防止するためのランプ駆動装置を提供する。即ち、並列駆動するＥＥＦＬの場合に、ランプのそれぞれにかかる管電圧は一定であるため、前記管電圧からランプの状態を感知することができない。
【００２９】
しかし、ピンホールの一番重要なファクターであるランプの外部電極部に発生する温度は、ランプの状態によって異なるので、これを感知するとランプの状態を感知することができる。
図３は、本発明の第１実施例によるバックライトアセンブリのランプ駆動装置を説明するための図面である。特に、フローティング方式のランプ駆動装置を説明する。
【００３０】
図３を参照すると、本発明の第１実施例によるランプ駆動装置は、パワートランジスタＱ１、ダイオードＤ１、インバータ１２０、温度感知部１３０（１３２、１３４）、デジタルアナログ変換器（ＤＡＣ）１４０、パルス幅変調制御部１５０（ＰＷＭ制御部）、パワートランジスタ駆動部１６０を備え、外部から提供される直流電源電圧を交流電源電圧に変換してランプアレイ１１０、即ち、並列接続された管外電極蛍光ランプに提供する。ここで、図面上では、ランプチューブの両側に管外電極を有するＥＥＦＬタイプのランプを例に挙げたが、ランプチューブの一側に管外電極を有し、ランプチューブの他側に内部電極を有する管内外電極蛍光ランプ（ＥＩＦＬ）タイプのランプであっても、適用が可能である。また、図示してないが、ランプの一端や両端にバラストキャパシタ（ｂａｌｌａｓｔ  ｃａｐａｃｉｔｏｒ）を介在することもできる。
【００３１】
パワートランジスタＱ１は、ゲート端を通じてパワートランジスタ駆動部１６０から入力されるスイッチング信号に応答してターンオンされて、ソース端を通じて入力される直流電源電圧をドレイン端を通じてインバータ１２０に出力させる。勿論、パワートランジスタＱ１のドレイン端を通じて出力される電圧は、厳密に言うと、ゼロボルト（ＯＶ）と前記直流電源電圧との間を反復するパルス電源電圧である。
【００３２】
ダイオードＤ１は、カソード端がパワートランジスタＱ１のドレイン端に接続され、アノード端が接地されてインバータ１２０から逆流する電流を遮断する。
【００３３】
インバータ１２０は、インダクタＬ、変圧器１２２、共振キャパシタＣ１、第１及び第２抵抗Ｒ１，Ｒ２、第１及び第２トランジスタＱ２、Ｑ３で構成され、一端がパワートランジスタＱ１のドレイン端に接続されてパワートランジスタＱ１から出力されるパルス電圧を交流電圧に変換し、変換された交流電圧をランプアレイ１１０中の複数のランプにそれぞれ提供する。本発明の図示の実施例では、インバータは、共振型ロイヤーインバータ回路として構成されている。
【００３４】
より詳細には、インダクタＬは、一端がパワートランジスタＱ１のドレイン端に接続され、パルス電圧に含まれたインパルス成分を除去して他端を通じて出力する。ここで、インダクタＬはエネルギーを充電し、パワートランジスタＱ１のオフ期間に逆起電力をダイオードＤ１に回生させかつ平均化させる一種のスイッチングレギュレーション動作を遂行する。
【００３５】
変圧器１２２は、第１次巻線を構成する第１及び第２巻線Ｔ１，Ｔ２と、２次巻線を構成する第３巻線Ｔ３を有して、インダクタＬを通じて第１巻線Ｔ１に入力された交流電圧は、電子誘導作用によって２次側巻線である第３巻線Ｔ３に伝達されて高電圧に変換され、変換された高電圧はランプアレイ１１０に印加される。ここで、第１巻線Ｔ１は、中間タップを通じてインダクタＬからの電圧を受ける。
【００３６】
また、第２巻線Ｔ２は、第１巻線Ｔ１に印加される交流電圧に応答して第１トランジスタＱ２と第２トランジスタＱ３のうち、いずれか一つを選択的にターンオンさせる。
共振キャパシタＣ１は、第１巻線Ｔ１の両端の間に並列接続され、前記第１巻線Ｔ１のインダクタンス成分とＬＣ共振回路を構成する。接続
【００３７】
第１トランジスタＱ２のベース端は、第１抵抗Ｒ１を通じてインダクタＬに接続接続され、コレクタ端は、共振キャパシタＣ１と1次側巻線Ｔ１が並列接続された一端に接続されて変圧器１２２を駆動し、第２トランジスタＱ３のベース端は、第２抵抗Ｒ２を通じてインダクタＬに接続接続され、コレクタ端は、共振キャパシタＣ１と1次側巻線Ｔ１が並列接続された他端に接続されて変圧器１２２を駆動し、エミッタ端は、第１トランジスタＱ２のエミッタ端と共通接地される。
【００３８】
動作時、パワートランジスタＱ１によって変換されたＤＣ電圧、即ち、パルス電圧は、チョークコイルであるインダクタＬ、及び抵抗Ｒ１，Ｒ２を経て、インバータ１２０の入力側であるトランジスタＱ２，Ｑ３のベースに供給される。変圧器１２２の中間タップを有する１次巻線Ｔ１は、それぞれのエミッタが接地されているトランジスタＱ２，Ｑ３のコレクタの間に並列に接続され、キャパシタＣ１がまた並列に接続される。
【００３９】
パルス電圧はまた、インダクタＬを介して変圧器１２２の１次巻線Ｔ１の中間タップにも供給される。
【００４０】
変圧器１２２の第３巻線Ｔ３は、１次巻線Ｔ１よりも多い巻き数で形成されて電圧を上げるようにしている。ランプアレイ１１０に具備される複数のランプは、変圧器１２２の第３巻線Ｔ３と並列に接続され、それぞれのランプには定電圧が供給される。ここで、定電圧は、昇圧された交流電圧の正極性と負極性のレベルが同じ電圧であるか、昇圧された交流電圧の最高値レベルと最低値レベルとの間隔が同じレベルの電圧であることもできる。
【００４１】
また、定電圧は、昇圧された交流電圧のうち、ランプアレイ中の複数のランプの一端に供給される第１交流電源と、複数のランプの他端に供給されるが、前記第１交流電源と１８０度位相差を有する第２交流電源であることもできる。
【００４２】
変圧器１２２を構成する第２巻線Ｔ２の一端は第１トランジスタＱ２のベース端子と接続され、他端は第２トランジスタＱ３のベース端子と接続され、第２巻線Ｔ２側から励起された電圧を第１及び第２トランジスタＱ２，Ｑ３のベース端子にそれぞれ印加させる。
【００４３】
温度感知部１３０は、第１及び第２温度感知素子１３２，１３４で構成され、管外電極蛍光ランプに近接配置され、ランプ駆動によって発生される温度を感知してＤＡＣ１４０に提供する。具体的に、第１温度感知素子１３２は、サーミスタで構成され、ランプの第１電極端に近接配置されてランプ駆動によって発生される第１温度を感知して第１温度信号１３３をＰＷＭ制御部１５０に提供し、第２温度感知素子１３４は、ランプの第２電極端に近接配置されてランプ駆動によって発生される第２温度を感知して第２温度信号１３５をＰＷＭ制御部１５０に提供する。
【００４４】
ＤＡＣ１４０は、外部から提供されるディミング信号（ＤＩＭＭ）をアナログ変換し、アナログ変換されたディミング信号１４１をＰＷＭ制御部１５０に出力する。前記ディミング信号（ＤＩＭＭ）は、ランプの明るさを調節するために、使用者の操作などによって入力される信号であって、一定のデューティ（ＤＵＴＹ）を有するデジタル値である。
【００４５】
ＰＷＭ制御部１５０は、オン/オフコントローラ１５２で構成され、外部から提供されるオン/オフ信号（ＯＮ／ＯＦＦ）によって起動され、アナログ変換されたディミング（ＤＩＭＭ）信号１４１と、第１及び第２温度信号１３３，１３５とに応答して、ランプに供給する交流電圧レベルの調整のためのスイッチング信号１５３を、パワートランジスタ駆動部１６０を介してパワートランジスタＱ１に提供する。
【００４６】
例えば、ＰＷＭ制御部１５０には、ピンホールが発生される恐れがある臨界温度値の範囲が予め設定されており、入力される温度信号が前記臨界温度の範囲内に存在する場合には、前記ランプの管電圧や管電流を低下させるためのスイッチング信号１５３を提供することもでき、前記温度信号が前記臨界温度の範囲を超過する場合には、前記ランプに供給される電源の出力を遮断するためのスイッチング信号１５３を提供することもできる。
【００４７】
前記ＰＷＭ制御部１５０は、オシレータ（図示せず）を更に具備し、発振機能を具備しないオン/オフコントローラ１５２に一定の発振信号を提供することもできる。
【００４８】
パワートランジスタ駆動部１６０は、ＰＷＭ制御部１５０から提供される交流電圧レベル調整のためのスイッチング信号１５３を増幅し、増幅されたレベル調整信号１６１をパワートランジスタＱ１に提供する。即ち、一般的に、ＰＷＭ制御部１５０から出力される信号は低レベルの信号であるので、これをパワートランジスタに適用するにはそのレベルが低いため、低レベルの信号を増幅する目的で、パワートランジスタ駆動部１６０を利用する。
【００４９】
図面上では、一つの第１温度感知素子１３２がランプの一端近傍に配置され、一つの第２温度感知素子１３４がランプの他端の近傍に配置されでいる状態を図示したが、各ランプの一端及び他端の近傍に複数の温度感知素子を配置することもできる。勿論、各ランプの一端及び他端の近傍に配置された温度感知素子によって検出された温度信号は平均化され、ＰＷＭ制御部１５０に提供されることが望ましい。
【００５０】
また、図面上では、二つの温度感知素子がランプの両端に近接配置されていることを図示したが、二つの温度感知素子をランプの両端に直接付着することもでき、一つの温度感知素子をランプの一端に直接付着することもできる。
【００５１】
以上、ＥＥＦＬを並列接続して駆動する例について説明したが、ＥＩＦＬにも代替が可能であり、ＥＩＦＬとＥＥＦＬを一つの駆動内に混在して使用することもできる。また、ＥＩＦＬの並列接続の時、管外電極は管外電極と、内部電極は内部電極と接続することもでき、これを混在して接続することもできる。
【００５２】
また、冷陰極性蛍光ランプ（ＣＣＦＬ）のように、ランプチューブ内部の両端に内部電極を有して高電圧が印加されることによって、前記ランプチューブが破損のおそれがある蛍光ランプにも、同じように適用することができるのは確実である。
【００５３】
以上で説明したように、ＥＥＦＬでピンホール発生の一番重要なファクターであるランプの外部電極部から発生する温度がランプの状態によって異なることに着目して、外部電極部に温度測定用センサを付着し、センサから測定された信号のフィードバッグを受け、そして、検出した温度が臨界温度範囲になると、ピンホールが発生しないように管電圧又は管電流を低め、また臨界温度範囲を超過すると、自動にバックライトへの電源電圧をシャットダウンすることで、ピンホールの発生を予め防止することができる。
【００５４】
図４は、本発明によって温度感知素子がバックライトアセンブリに付着される一例を説明するための図面である。図４に図示したように、温度感知素子１３２は、複数のランプ１００の外部電極部の近傍に配置され、ランプ駆動によって発生される温度を感知する。この時、温度感知素子は、複数の外部電極部のうちのいずれか一つに配置されることもでき、各外部電極部の近傍に配置されることもできる。
【００５５】
図５は、本発明の第２実施例によるバックライトアセンブリのランプ駆動装置を説明するための図面である。特に、グラウンド方式のランプ駆動装置を説明する。
【００５６】
図５を参照すると、本発明の第２実施例によるランプ駆動装置は、パワートランジスタＱ１、ダイオードＤ１、インバータ２２０、温度感知部１３０、デジタルアナログ変換器（ＤＡＣ）１４０、ＰＷＭ制御部１５０、パワートランジスタ駆動部１６０を含み、外部から提供される直流電源電圧を交流電源電圧に変換してランプアレイ２１０、即ち、並列接続された管外電極ランプに提供する。ここで、前記図３と比較する時、同じ構成要素に対しては同じ符号を付与し、その説明を省略する。
【００５７】
但し、前記図３と比較する時、インバータ２２０に具備される変圧器２２２の２次側巻線である第３巻線Ｔ３の一端が接地され、ランプアレイ２１０に具備される複数の管外電極ランプのそれぞれのホット電極は共通接続されてインバータ２２０から昇圧された交流電圧の提供を受け、複数の管外電極ランプのそれぞれのコールド電極は共通接続されて接地されている。
【００５８】
図６は、本発明の第３実施例によるバックライトアセンブリのランプ駆動装置を説明するための図面である。この例は、特に、変圧器の入力側でランプ電流を検出するようにしたフローティング方式のランプ駆動装置である。
【００５９】
図６を参照すると、本発明の第３実施例によるランプ駆動装置はパワートランジスタＱ１、ダイオードＤ１、インバータ３２０、温度感知部１３０、ランプ電流検出部３４０、ＰＷＭ制御部３５０及びパワートランジスタ駆動部１６０を含んでおり、外部から提供される直流電源電圧を交流電源電圧に変換して、ランプアレイ１１０、即ち、並列接続されたランプに提供する。ここで、前記の図３及び図５と比較する時、同じ構成要素に対しては同じ符号を付与し、その説明を省略する。
【００６０】
インバータ３２０は、インダクタＬ、変圧器３２２、共振キャパシタＣ１、第１及び第２抵抗Ｒ１，Ｒ２、第１及び第２トランジスタＱ２、Ｑ３で構成されており、一端がパワートランジスタＱ１の第３端に接続されている。そして、パルス電圧を交流電圧に変換し、変換された交流電圧をランプアレイ１１０中の複数のランプにそれぞれ提供する。この例では、インバータが共振型ロイヤーインバータ回路として構成されている。
【００６１】
第１トランジスタＱ２は、ベースが第１抵抗Ｒ１を通じてインダクタＬに接続され、コレクタが前記共振キャパシタＣ１と前記１次側巻線Ｔ１との並列接続回路の一端に接続されて、前記変圧器１２２を駆動する。
【００６２】
また、第２トランジスタＱ３は、ベースが第２抵抗Ｒ２を通じてインダクタＬに接続され、コレクタが前記共振キャパシタＣ１と前記１次側巻線Ｔ１との並列接続回路の他端に接続されて、前記変圧器３２２を駆動し、エミッタが前記第１トランジスタＱ２のエミッタと共通に接続される。
【００６３】
ランプ電流検出部３４０は、前記第１及び第２トランジスタＱ２，Ｑ３の共通接続されたエミッタ端から入力される交流信号３２１を整流して直流信号に変換し、変換された直流信号３３１をＰＷＭ制御部３５０に出力する。例えば、ランプ電流検出部３４０は、２つのトランジスタのエミッタから電流検出用抵抗を介して接地に流れる電流を検出するよう構成される。
【００６４】
ＰＷＭ制御部３５０は、フィードバッグコントローラ３５２及びオン/オフコントローラ３５４で構成され、外部から提供されるオン/オフ信号（ＯＮ／ＯＦＦ）によって起動され、そして、ディミング信号（ＤＩＭＭ）と、第１及び第２温度信号１３３，１３５とに応答して、ランプのそれぞれに供給する交流電圧レベルの調整のためのスイッチング信号３５５をパワートランジスタ駆動部１６０に提供する。ＰＷＭ制御部３５０は、出力誤差に相応して調整されるパルス幅によって、出力電圧がレギュレーションされるので、これをＰＷＭによる制御と称する。実際の設計において、このような制御回路ブロックはＩＣ化されるので、一般的に制御用ＩＣチップを使用する。また、出力電圧のレギュレーションのためには、負帰還制御を行う。
【００６５】
パワートランジスタ駆動部１６０は、ＰＷＭ制御部３５０から提供される交流電圧レベルの調整のためのスイッチング信号３５５を増幅し、増幅されたレベル調整信号１６１をパワートランジスタＱ１のゲートに提供する。
ＰＷＭ制御部３５０はまた、ランプ電流検出部３４０で検出された電流が所定値以上となった場合に、パワートランジスタＱ１をターンオフさせるための信号を出力する。
【００６６】
図７は、本発明の第４実施例によるバックライトアセンブリのランプ駆動装置を説明するための図面である。この例は、変圧器の出力側でランプ電流を検出するフローティング方式のランプ駆動装置である。
【００６７】
図７を参照すると、本発明の第４実施例によるランプ駆動装置は、パワートランジスタＱ１、ダイオードＤ１、インバータ４２０、温度感知部１３０、ランプ電流検出部４４０、ＰＷＭ制御部３５０及びパワートランジスタ駆動部１６０を含み、外部から提供される直流電源電圧を交流電源電圧に変換して、ランプアレイ１１０、即ち、並列接続された管外電極ランプに提供する。図３と図５及び図６と比較する時、同じ構成要素に対しては同じ符号を付与し、その説明は省略する。
【００６８】
インバータ４２０は、インダクタＬ、変圧器４２２、共振キャパシタＣ１、第１及び第２抵抗Ｒ１，Ｒ２、第１及び第２トランジスタＱ２，Ｑ３で構成され、一端がパワートランジスタＱ１の第３端に接続されている。そして、直流電圧を交流電圧に変換し、変換された交流電圧をランプアレイ１１０中の複数のランプにそれぞれ提供する。この例では、インバータが共振型ロイヤーインバータ回路として構成されている。
【００６９】
変圧器４２２の入力側は、１次巻線を構成する第１及び第２巻線Ｔ１，Ｔ２を有し、出力側は、２次巻線を構成する第３及び第４巻線Ｔ３，Ｔ４を有する。第１巻線Ｔ１に入力された電圧は、第３及び第４巻線Ｔ３，Ｔ４に誘起されて高電圧に昇圧され、昇圧された高電圧はランプアレイ１１０の両端に印加される。ここで、第３巻線Ｔ３が巻かれる方向と第４巻線Ｔ４が巻かれる方向が互いに同じ方向を維持するので、第３巻線Ｔ３と第４巻線Ｔ４は直列接続されたものと等価である。
【００７０】
また、第１巻線Ｔ１は、中間タブを通じてインダクタＬからの提供を受ける交流電圧を誘導作用によって２次側巻線である第３及び第４巻線Ｔ３，Ｔ４に伝達し、第２巻線Ｔ２は、第１巻線Ｔ１に印加される電源に応答して、第１トランジスタＱ２と第２トランジスタＱ３のうち、いずれか一つを選択的にターンオンさせる。
ランプ電流検出部４４０は、例えば、第３及び第４巻線の間に接続された電流検出用抵抗に流れる電流を検出するよう構成される。
【００７１】
図８は、本発明の第５実施例によるバックライトアセンブリのランプ駆動装置を説明するための図面である。この例は、変圧器の入力側で管外電極ランプに流れる電流を検出するグラウンド方式のランプ駆動装置である。
【００７２】
図８を参照すると、本発明の第５実施例によるランプ駆動装置は、パワートランジスタＱ１、ダイオードＤ１、インバータ５２０、温度感知部１３０、ランプ電流検出部３４０、ＰＷＭ制御部３５０及びパワートランジスタ駆動部１６０を含み、外部から提供される直流電源電圧を交流電源電圧に変換してランプアレイ２１０に提供する。ここで、前記図３、図５〜図７と比較する時、同じ構成要素に対しては同じ符号を付与し、その説明を省略する。
【００７３】
インバータ５２０は、インダクタＬ、変圧器５２２、共振キャパシタＣ１、第１及び第２抵抗Ｒ１，Ｒ２、第１及び第２トランジスタＱ２，Ｑ３で構成され、一端がパワートランジスタＱ１の第３端に接続されている。そして、パルス電圧を交流電圧に変換し、変換された交流電圧をランプアレイ２１０中の複数の管外電極ランプにそれぞれ提供する。ここで、インバータは共振型ロイヤーインバータ回路である。但し、変圧器５２２の２次巻線の一側は、接地されている。
【００７４】
図９は、本発明の第６実施例によるバックライトアセンブリのランプ駆動装置を説明するための図面である。この例は、ランプアレイのグラウンド端から管外電極ランプに流れる電流を検出するグラウンド方式のランプ駆動装置である。
【００７５】
図９を参照すると、本発明の第６実施例によるランプ駆動装置は、パワートランジスタＱ１、ダイオードＤ１、インバータ６２０、温度感知部１３０、ランプ電流検出部６３０、ＰＷＭ制御部３５０及びパワートランジスタ駆動部１６０を含み、外部から提供される直流電源電圧を交流電源電圧に変換してランプアレイ６１０に提供する。ここで、前記図３、図５〜図８と比較する時、同じ構成要素に対しては同じ符号を付与し、その説明を省略する。
【００７６】
インバータ６２０は、インダクタＬ、変圧器６２２、共振キャパシタＣ１、第１及び第２抵抗Ｒ１，Ｒ２、第１及び第２トランジスタＱ２，Ｑ３で構成され、一端がパワートランジスタＱ１の第３端に接続されている。そして、パルス電圧を交流電圧に変換し、変換された交流電圧をランプアレイ６１０に提供する。
【００７７】
ランプアレイ６１０は、複数の管外電極ランプで構成され、管外電極ランプのそれぞれの一端（例えば、ホット電極）は共通されて変圧器６２２の２次巻線Ｔ３から昇圧された定電流の交流電源の提供を受け、他端（例えば、コールド電極）は共通されてグラウンドに接続される（不図示の抵抗を介して）と共に、ランプ電流検出部６３０に接続される。なお、図示していないが、ランプアレイ６１０のグラウンド端と接地との間には、電流検出用抵抗が接続されているものとする。
【００７８】
このような接続を通じて、ランプ電流検出部６３０は、ランプに流れる管電流の総合電流の提供を受け、これに基づいてランプ電流を検出し、検出されたランプ電流値を表す信号６３１をＰＷＭ制御部３４０に提供する。
【００７９】
以上、直下型バックライトアセンブリに採用されるランプ駆動装置の多様な実施例について説明した。前記ランプ駆動装置を有するバックライトアセンブリは液晶表示装置に採用されるが、液晶表示装置の一例に対しては、図１０を参照して説明する。
【００８０】
図１０は、本発明による液晶表示装置を示した分解斜視図であって、特に直下型バックライトアセンブリを採用する液晶表示装置を示す。
図１０を参照すると、本発明による直下型液晶表示装置９００は、画面を示す液晶パネルアセンブリ９１０及び液晶パネルアセンブリ９１０に光を提供する直下型バックライトアセンブリ９２０を含む。
【００８１】
液晶パネルアセンブリ９１０は、薄膜トランジスタ（ＴＦＴ）基板（又はアレイ基板）９１１ａ、カラーフィルタ基板９１１ｂ、及び、アレイ基板９１１ａとカラーフィルタ基板９１１ｂとの間に注入された液晶層（図示せず）で構成された液晶パネル９１１を有する。また、データ印刷回路基板９１５、ゲート印刷回路基板９１４、データ側テープキャリアーパッケージ（ＴＣＰ）９１３及びゲート側ＴＣＰ９１２を備えている。
【００８２】
一方、直下型バックライトアセンブリ９２０は、第１光を発生するランプユニット９２１、ランプユニット９２１から発生された第１光を反射させるための反射板９２３、前記第１光を拡散させ、均一の輝度分布を有する第２光を出射させるための光調節部９２２及びランプユニット９２１、反射板９２３及び光調節部９２２を受納するためのボトムシャーシ９２５を含む。ここで、光調節部９２２は、拡散板９２２ａ、拡散板９２２ａの上部に順次配置される拡散シート９２２ｂ、ロープリズムシート９２２ｃ、アッパープリズムシート９２２ｄ及び保護シート９２２ｅを含む。
【００８３】
ボトムシャーシ９２５は、上部面が開口された直六面体のボックス形態に形成される。ボトムシャーシ９２５の内部には所定の深さの受納空間が形成され、前記受納空間の内部面に沿って反射板９２３が配置され、反射板９２３の上にはランプユニット９２１が互いに並んで設置される。また、ボトムシャーシ９２５には、ランプユニット９２１と所定の間隔に離間して、光調節部９２２が配置される。
【００８４】
ここで、ランプユニット９２１は、複数のランプ９２１ａ、前記ランプ９２１ａの両端に締結されて電源電圧を供給する第１及び第２ランプクリップ９２１ｂ，９２１ｃ、前記第１及び第２ランプクリップ９２１ｂ，９２１ｃのそれぞれに前記電源電圧を供給する第１及び第２電源供給ライン９２１ｄ，９２１ｅで構成される。第１及び第２電源供給ライン９２１ｄ，９２１ｅは、第１及び第２電源電圧を発生するランプ駆動装置９２４にそれぞれ接続される。
【００８５】
前記ランプ駆動装置９２２は、図３や図５〜図９に関連して説明したランプ駆動装置であって、並列接続された複数のランプのそれぞれに前記第１及び第２電源電圧を提供する。また、ランプ駆動装置９２２は、ランプ近傍に配置された第１及び第２温度感知素子１３２，１３４から提供される温度信号に基づいて、前記第１及び第２電源電圧の出力を制御する。図面上では、二つの温度感知素子１３２,１３４がランプ両端に近接配置されたことを図示したが、二つの温度感知素子をランプの両端に直接付着することもでき、一つの温度感知素子をランプの一端に直接付着することもできる。
【００８６】
一方、光調節部９２２の上部には、ミドルシャーシ９３０が配置され、ミドルシャーシ９３０の敷居部材には液晶パネル９１１が固定される。その後、液晶パネル９１１の上にボトムシャーシ９２５と対向して結合するトップシャーシ９４０が配置される。これによって、直下型液晶表示装置９００が完成される。
【産業上の利用可能性】
【００８７】
以上で説明したように、本発明によると、並列接続されたランプ近傍に温度センサを付着して感知される温度に基づいてランプの状態を監視し、感知された温度が所定の臨界温度範囲内であれば、ピンホールが発生されないように管電圧及び管電流を低下させるように制御し、臨界温度範囲を超過すると、自動にバックライトに供給される電源電圧を強制に遮断することで、ランプの損傷を防止することができる。
【００８８】
また、ランプのそれぞれに温度感知素子を付着してランプのそれぞれの状態を監視し、ランプによって設定された臨界温度範囲以下で駆動するように制御し、前記臨界温度範囲以上であればシャットダウン機能を作動してピンホール発生の前にランプに提供される電源を強制的に遮断し、臨界温度範囲内であれば提供される電源電圧を減少させて温度上昇を抑制することができる。
【００８９】
また、ランプのそれぞれの温度感知が困難な場合、並列接続されたランプの電極部に連結された金属製ランプクリップの温度を平均化された外部電極部の温度と見なすことができるので、前記ランプクリップ部に温度感知素子を付着し、前記温度感知素子から提供される温度信号が臨界温度以上であることを示していると、シャットダウン機能を作動してピンホール発生の前に、ランプに提供される電源を強制的に遮断するか、提供される電源電圧を減少させて温度上昇を抑制することができる。
【００９０】
これによって、外部電極ランプを実用化するのに最大の問題点である電極部ピンホールの発生を防止して、ランプを安定的に動作させることができる。また、ピンホール発生時に伴う水銀露出や電流の傾きなどを防止することができる。
また、漏洩感知方式とは違って、使用するランプの数及びランプの間のピッチが異なる器具であっても、制約なしに本発明を適用することができる。
【００９１】
以上、本発明の実施例によって詳細に説明したが、本発明はこれに限定されず、本発明が属する技術分野において通常の知識を有するものであれば、本発明の技術思想から逸脱することなく、本発明を修正または変更することが可能である。
【図面の簡単な説明】
【００９２】
【図１】一般的なランプ駆動装置のシャットダウン方式を説明するための図面である。
【図２】外部電極蛍光ランプの外部電極内から発生されるプラズマの分布を示した図面である。
【図３】本発明の第１実施例によるバックライトアセンブリのランプ駆動装置を説明するための図面である。
【図４】本発明による温度感知素子が付着されるバックライトアセンブリを概念的に説明するための図面である。
【図５】本発明の第２実施例によるバックライトアセンブリのランプ駆動装置を説明するための図面である。
【図６】本発明の第３実施例によるバックライトアセンブリのランプ駆動装置を説明するための図面である。
【図７】本発明の第４実施例によるバックライトアセンブリのランプ駆動装置を説明するための図面である。
【図８】本発明の第５実施例によるバックライトアセンブリのランプ駆動装置を説明するための図面である。
【図９】本発明の第６実施例によるバックライトアセンブリのランプ駆動装置を説明するための図面である。
【図１０】本発明による液晶表示装置を示した分解斜視図である。
【符号の説明】
【００９３】
１２    外部電極蛍光ランプ
１００    ランプ
１１０、２１０、６１０    ランプアレイ
１２０、２２０、３２０、４２０、５２０、６２０    インバータ
１２２、２２２、３２２、４２２、５２２、６２２    変圧器
１３０    温度感知部
１３２    第１温度感知素子
１３３    第１温度信号
１３４    第２温度感知素子
１３５    第２温度信号
１４０    デジタルアナログ変換部（ＤＡＣ）
１４１    ディミング信号
１５０、３５０    パルス幅変調制御部（ＰＷＭ制御部）
１５２、３５４    オン/オフコントローラ
１５３、３５５    スイッチング信号
１６０    パワートランジスタ駆動部
１６１    レベル調整信号
３２１    交流信号
３３１    直流信号
３４０、４４０、６３０    ランプ電流検出部
３５２    フィードバッグコントローラ
６３１    ランプ電流
９００    直下型液晶表示装置
９１０    液晶パネルアセンブリ
９１１    液晶パネル
９１２    ゲート側ＴＣＰ
９１３    テープキャリアーパッケージ
９１４    ゲート印刷回路基板
９１５    データ印刷回路基板
９２０    直下型バックライトアセンブリ
９２１    ランプユニット
９２２    光調節部
９２３    反射板
９２４    ランプ駆動装置
９２５    ボトムシャーシ
９３０    ミドルシャーシ
９４０    トップシャーシ
【図１】
2005063970.tif 000004
【図２】
2005063970.tif 000005
【図３】
2005063970.tif 000006
【図４】
2005063970.tif 000007
【図５】
2005063970.tif 000008
【図６】
2005063970.tif 000009
【図７】
2005063970.tif 000010
【図８】
2005063970.tif 000011
【図９】
2005063970.tif 000012
【図１０】
2005063970.tif 000013